【手続補正書】
【提出日】平成24年4月25日(2012.4.25)
【手続補正１】
【補正対象書類名】明細書
【補正対象項目名】０００７
【補正方法】変更
【補正の内容】
【０００７】
本発明の第１の態様によると、撮影により連続した複数の画像フレームからなる動画データを得る撮影手段と、
前記撮影手段によって得られた前記動画データに２種類以上の音声データを付加する音声データ付加手段と、
前記音声データ付加手段によって２種類以上の音声データが付加された前記動画データに、前記２種類以上の音声データの各々に対する前記動画データを再生する際の再生モードを示す再生情報を付加する再生情報付加手段と、
を備え、
前記再生モードは、前記画像フレームを間引いて再生する第１の再生モードと、前記画像フレームを間引かずに再生する第２の再生モードとを含むことを特徴とする動画処理装置が提供される。
【手続補正２】
【補正対象書類名】明細書
【補正対象項目名】０００８
【補正方法】変更
【補正の内容】
【０００８】
本発明の第２の態様によると、撮影により得られた連続した複数の画像フレームからなる動画データと、２種類以上の音声データと、前記２種類以上の音声データの各々に対する再生モードを示す再生情報とを含む動画ファイルを再生する動画再生装置であって、
再生モードを決定する決定手段と、
前記決定手段によって決定された前記再生モードに対応する音声データを、前記再生情報に基づいて特定する音声データ特定手段と、
前記決定手段によって決定された前記再生モードに従って、前記動画データを前記音声データ特定手段によって特定された音声データとともに再生する動画再生手段と、
を備えることを特徴とする動画再生装置が提供される。
【手続補正３】
【補正対象書類名】明細書
【補正対象項目名】０００９
【補正方法】変更
【補正の内容】
【０００９】
本発明の第３の態様によると、撮影により連続した複数の画像フレームからなる動画データを得る撮影ステップと、
前記撮影ステップによって得られた前記動画データに２種類以上の音声データを付加する音声データ付加ステップと、
この２種類以上の音声データが付加された前記動画データに、前記２種類以上の音声データの各々に対する前記動画データを再生する際の再生モードを示す再生情報を付加する再生情報付加ステップと、
含み、
前記再生モードは、前記画像フレームを間引いて再生する第１の再生モードと、前記画像フレームを間引かずに再生する第２の再生モードとを含むことを特徴とする動画処理方法が提供される。
【手続補正４】
【補正対象書類名】明細書
【補正対象項目名】００１０
【補正方法】変更
【補正の内容】
【００１０】
本発明の第４の態様によると、撮影により連続した複数の画像フレームからなる動画の動画データを得る撮影手段を備えた動画処理装置が備えるコンピュータを、
前記撮影手段によって得られた動画データに２種類以上の音声データを付加する音声データ付加手段と、
前記音声データ付加手段によって２種類以上の音声データが付加された前記動画データに、前記２種類以上の音声データの各々に対する前記動画データを再生する際の再生モードを示す再生情報を付加する再生情報付加手段
として機能させることを特徴とするプログラムであって、
前記再生モードは、前記画像フレームを間引いて再生する第１の再生モードと、前記画像フレームを間引かずに再生する第２の再生モードとを含むことを特徴とするプログラムが提供される。
【手続補正５】
【補正対象書類名】明細書
【補正対象項目名】００１１
【補正方法】変更
【補正の内容】
【００１１】
本発明の第５の態様によると、撮影により得られた連続した複数の画像フレームからなる動画データと、２種類以上の音声データと、前記２種類以上の音声データの各々に対する再生モードを示す再生情報とを含む動画ファイルを再生する動画再生装置の動画再生方法であって、
再生モードを決定する決定ステップと、
決定された再生モードに対応する音声データを、前記再生情報に基づいて特定する音声データ特定ステップと、
前記決定された再生モードに従って、前記動画データを前記音声データ特定ステップによって特定された音声データとともに再生する動画再生ステップと、
を含むことを特徴とする動画再生方法が提供される。
【手続補正６】
【補正対象書類名】明細書
【補正対象項目名】００１２
【補正方法】変更
【補正の内容】
【００１２】
本発明の第６の態様によると、撮影により得られた連続した複数の画像フレームからなる動画データと、２種類以上の音声データと、前記２種類以上の音声データの各々に対する再生モードを示す再生情報とを含む動画ファイルを再生する動画再生装置が備えるコンピュータを、
再生モードを決定する決定手段、
前記決定手段によって決定された前記再生モードに対応する音声データを、前記再生情報に基づいて特定する音声データ特定手段、
前記決定手段によって決定された前記再生モードに従って、前記動画ファイルに含まれる前記動画データを、前記音声データ特定手段によって特定された音声データとともに再生する動画再生手段
として機能させることを特徴とするプログラムが提供される。
【手続補正７】
【補正対象書類名】明細書
【補正対象項目名】００１７
【補正方法】変更
【補正の内容】
【００１７】
さらに、本実施形態では、動画を再生するための再生モードとして、通常再生のほか、スロー再生を備える。ここで再生モードとは、撮影フレームレートに対する再生フレームレートとの関係であって、撮影フレームレートと再生フレームレートとが等しい場合、または動画の画像フレームを間引いて再生フレームレートと等しくした場合は通常再生モード、再生フレームレートが撮影フレームレートを下回る場合はスロー再生モードとする。本実施形態のデジタルカメラ１００は、再生フレームレートを３０ｆｐｓのフレームレートとしているため、３０ｆｐｓの撮影フレームレートの動画を再生する場合は、通常再生となる。一方で、例えば、１２０ｆｐｓの撮影フレームレートで撮影された動画を再生する場合は、スロー再生となる。本実施形態のデジタルカメラ１００が実行する通常再生とスロー再生の詳細については後述する。
【手続補正８】
【補正対象書類名】明細書
【補正対象項目名】００４４
【補正方法】変更
【補正の内容】
【００４４】
図４は、図１のデジタルカメラ１００によって高フレームレートで撮影された動画の画像フレームを間引かずに再生するスロー再生モードの場合と、通常の再生速度になるように動画を構成する画像フレームを間引いて再生する通常再生モードの場合の画像データ（画像フレーム）と実音声データ、及びダミー音声データとの関係を示す説明図である。
【手続補正９】
【補正対象書類名】明細書
【補正対象項目名】００４６
【補正方法】変更
【補正の内容】
【００４６】
図４（Ｂ）は、高フレームレートの１２０ｆｐｓで撮影された動画を四分の一に間引いて通常の３０ｆｐｓで再生する通常再生モードの場合の、画像データと実音声データ、及びダミー音声データとの関係を示す説明図である。
【手続補正１０】
【補正対象書類名】明細書
【補正対象項目名】００５１
【補正方法】変更
【補正の内容】
【００５１】
まず、ステップＳ１０１において、制御部１４は、撮影部２で集音された動画データを動画一時メモリ５に逐次記憶し、また音声入出力部４から出力された音声データを音声一時メモリ６に逐次記憶する処理を開始する。ステップＳ１０２において、制御部１４は、現在設定されている撮影のフレームレートが３０ｆｐｓか否かを判定する。撮影中にフレームレート切替えボタン１０が操作されなければ、撮影フレームレートは変更されない。撮影フレームレートが３０ｆｐｓである場合はステップＳ１０３へ進む（ステップＳ１０２：ＹＥＳ）。フレームレート切替えボタン１０が操作されるなどして、撮影フレームレートが３０ｆｐｓから変更されている場合は、ステップＳ１０７へ進む（ステップＳ１０２：ＮＯ）。
【手続補正１１】
【補正対象書類名】明細書
【補正対象項目名】００５７
【補正方法】変更
【補正の内容】
【００５７】
続く、ステップＳ１０８において、制御部１４は、撮影終了の指示を検出したか否かを判定する。ここでは、制御部１４が撮影開始／停止ボタン９の操作による撮影終了の指示を検出しなければ、処理はステップＳ１０９へ進む（ステップＳ１０８：ＮＯ）。一方で、制御部１４が撮影終了の指示を検出したときは、処理はステップＳ１１１へ進む（ステップＳ１０８：ＹＥＳ）。先のステップＳ１０７において、動画データにダミー音声データも付加してメモリカード７に逐次記憶した場合、ステップＳ１１１では、それまでの間にメモリカード７に記憶した動画データと実音声データ及びダミー音声データについて、ファイル名、撮影日時、フレームレート等の情報を含むヘッダ情報を付加し、メモリカード７内に動画ファイルとしてファイル化する。
【手続補正１２】
【補正対象書類名】明細書
【補正対象項目名】００６０
【補正方法】変更
【補正の内容】
【００６０】
まず、ステップＳ２０１において、制御部１４は、現在設定されている再生モードが通常再生モードであるか否かを判定する。再生中に再生モード変更ボタン１２が操作されなければ、再生モードは変更されない。再生モードが通常再生モードである場合はステップＳ２０２へ進む（ステップＳ２０１：ＹＥＳ）。再生モード変更ボタン１２が操作されるなどして、再生モードが通常再生モードから変更されている場合は、ステップＳ２０６へ進む（ステップＳ２０１：ＮＯ）。
【手続補正１３】
【補正対象書類名】明細書
【補正対象項目名】００６４
【補正方法】変更
【補正の内容】
【００６４】
一方、ステップＳ２０１の判定でＮＯであれば、ステップＳ２０６において、制御部１４は、記録／再生データ作成部３を制御して、メモリカードに記憶された１２０ｆｐｓで撮影された動画の画像フレームを間引かずに３０ｆｐｓでスロー再生し、動画とともにダミー音声を再生する。具体的には、図３（Ｂ）又は図４（Ａ）に示すように、制御部１４は、記録／再生データ作成部３を制御して、音声インデックスデータＡＩがダミー音声のダミー音声データＡＤの位置を指定するようにする。画像インデックスデータＶＩと音声インデックスデータＡＩが指定する順に、画像データＶとダミー音声データＡＤを再生し、音声入出力部４と液晶表示装置８から出力する。このようにして、制御部１４は、１２０ｆｐｓで撮影された動画の画像フレームを間引かずに３０ｆｐｓのフレームレートで再生する。即ち、制御部１４は、図３（Ｂ）又は図４（Ａ）に示すように、画像インデックスデータＶＩと音声インデックスデータＡＩが指定する順に、画像データＶとダミー音声データＡＤをスロー再生し、音声入出力部４と液晶表示装置８から出力する。
【手続補正１４】
【補正対象書類名】明細書
【補正対象項目名】００６７
【補正方法】変更
【補正の内容】
【００６７】
このように本実施形態に係る動画処理装置として機能するデジタルカメラ１００によれば、制御部１４は、フレームレート切替えボタン１０によって指定された撮影フレームレートに応じて、動画一時メモリ５に記憶された動画データに、音声一時メモリ６に記憶された実音声の実音声データ及びダミー音声のダミー音声データの２種類の音声データを付加して、動画の撮影フレームレートを記したヘッダ部１０１と、動画の画像データと実音声データ及びダミー音声データを有するデータ部１０２と、動画の画像データと、実音声データ及びダミー音声データの何れかを指し示すインデックスデータを有するインデックス部１０３とを含む動画ファイルを生成する。
【手続補正１５】
【補正対象書類名】明細書
【補正対象項目名】００６８
【補正方法】変更
【補正の内容】
【００６８】
制御部１４は、インデックス部１０３の音声インデックスデータＡＩを用いて、実音声データ及びダミー音声データの２種類の音声データに対して、対応する再生モードを示す再生情報を付加する。再生モードとは、撮影フレームレートに対する再生フレームレートとの関係を表し、該再生モードは、撮影フレームレートと再生フレームレートとが等しい場合、または動画の画像フレームを間引いて再生フレームレートと等しくした場合の通常再生モードと、再生フレームレートが撮影フレームレートを下回る場合のスロー再生モードとを含む。
【手続補正１６】
【補正対象書類名】明細書
【補正対象項目名】００７１
【補正方法】変更
【補正の内容】
【００７１】
したがって、本実施形態に係る動画処理装置として機能するデジタルカメラ１００によれば、制御部１４は、動画データに２種類以上の音声データを付加する音声データ付加手段として機能するとともに、動画ファイルに、２種類以上の音声データの各々に対する再生モードを示す再生情報を付加する再生情報付加手段として機能する。被写体を撮影して動画の画像データを生成する撮影部２は、撮影時に撮影フレームレートを変更可能であり、音声データ付加手段として機能する制御部１４は、所定の撮影フレームレート以外の時に、２以上の種類の音声データを付加することができる。
【手続補正１７】
【補正対象書類名】明細書
【補正対象項目名】００７３
【補正方法】変更
【補正の内容】
【００７３】
また、本実施形態に係るデジタルカメラ１００は、撮影部２による撮影中に音声を集音する集音手段として機能する音声入出力部４をさらに含み、音声データ付加手段として機能する制御部１４は、所定の撮影フレームレート以外、特に、高速の撮影フレームレートの時に、２以上の種類の音声データとして、音声入出力部４により集音された実音声の実音声データと、実音声の代わりとなるダミー音声のダミー音声データとを付加することができる。さらに、制御部１４は、実音声の実音声データには通常の再生を、ダミー音声のダミー音声データにはスロー再生を、対応する再生モードとして示す再生情報を付加することができる。
【手続補正１８】
【補正対象書類名】明細書
【補正対象項目名】００７４
【補正方法】変更
【補正の内容】
【００７４】
本実施形態に係るデジタルカメラ１００は、動画の画像データと、２種類以上の音声データと、２種類以上の音声データの各々に対する再生モードを示す再生情報であるヘッダ部１０１とを含む動画ファイルを再生する動画再生装置としても機能する。かかる動画再生装置として機能するデジタルカメラ１００は、通常再生モードとスロー再生モードとを含む再生モードを決定する決定手段として機能する再生モード変更ボタン１２と、ヘッダ部１０１を参照して、再生モード変更ボタン１２によって決定された再生モードに対応する種類の音声データを特定する音声データ特定手段として機能するとともに、再生モード変更ボタン１２によって決定された再生モードに従って、動画ファイルに含まれる動画の画像データを、音声データ特定手段によって特定された種類の音声データとともに再生する動画再生手段として機能する制御部１４とを含む。
【手続補正１９】
【補正対象書類名】明細書
【補正対象項目名】００７８
【補正方法】変更
【補正の内容】
【００７８】
なお、本実施形態では、動画撮影処理のステップＳ１０１において、撮影部２から出力された動画データを動画一時メモリ５に逐次記憶して、音声入出力部４で集音された音声データを音声一時メモリ６に逐次記憶して、動画データに音声データを付加するものとして説明したが、本発明はこれに限定されない。
【手続補正２０】
【補正対象書類名】明細書
【補正対象項目名】００７９
【補正方法】変更
【補正の内容】
【００７９】
例えば、撮影部２によって撮影された動画データ以外の動画データに対して同様の処理を行ってもよいし、あるいは、音声入出力部４で集音された音声データ以外の音声データに対して同様の処理を行ってもよい。具体的には、処理する対象の動画データ又は音声データを、図示せぬ、通信部を制御して、無線通信ネットワークを介して入手してもよく、メモリカード７などのリムーバブル記録媒体を介して入手してもよい。
【手続補正２１】
【補正対象書類名】特許請求の範囲
【補正対象項目名】全文
【補正方法】変更
【補正の内容】
【特許請求の範囲】
【請求項１】
撮影により連続した複数の画像フレームからなる動画データを得る撮影手段と、
前記撮影手段によって得られた前記動画データに２種類以上の音声データを付加する音声データ付加手段と、
前記音声データ付加手段によって２種類以上の音声データが付加された前記動画データに、前記２種類以上の音声データの各々に対する前記動画データを再生する際の再生モードを示す再生情報を付加する再生情報付加手段と、
を備え、
前記再生モードは、前記画像フレームを間引いて再生する第１の再生モードと、前記画像フレームを間引かずに再生する第２の再生モードとを含むことを特徴とする動画処理装置。
【請求項２】
前記音声データ付加手段は、所定の撮影フレームレートよりも高いフレームレートで撮影された動画データに、前記２種類以上の音声データを付加することを特徴とする請求項１記載の動画処理装置。
【請求項３】
前記撮影手段による撮影中に音声を集音する集音手段をさらに備え、
前記音声データ付加手段は、前記所定の撮影フレームレートよりも高いフレームレートで撮影された動画データに、前記２種類以上の音声データとして、前記集音手段により集音された実音声データと、実音声データの代わりとなる疑似音声データとを付加し、
前記再生情報付加手段は、前記実音声データには前記第１の再生モードを示す再生情報を付加するとともに、前記疑似音声データには前記第２の再生モードを示す再生情報を付加し、
前記第１の再生モード及び前記第２の再生モードでは、前記所定の撮影フレームレートと同じフレームレートで再生することを特徴とする請求項２記載の動画処理装置。
【請求項４】
撮影により得られた連続した複数の画像フレームからなる動画データと、２種類以上の音声データと、前記２種類以上の音声データの各々に対する再生モードを示す再生情報とを含む動画ファイルを再生する動画再生装置であって、
再生モードを決定する決定手段と、
前記決定手段によって決定された前記再生モードに対応する音声データを、前記再生情報に基づいて特定する音声データ特定手段と、
前記決定手段によって決定された前記再生モードに従って、前記動画データを前記音声データ特定手段によって特定された音声データとともに再生する動画再生手段と、
を備えることを特徴とする動画再生装置。
【請求項５】
前記再生モードは、前記動画データの画像フレームを間引いて再生する第１の再生モードと、前記動画データの画像フレームを間引かずに再生する第２の再生モードを含み、
前記音声データは、該動画の撮影中に集音した実音声データと、実音声データの代わりとなる擬似音声データとを含み、
前記音声データ特定手段は、前記決定手段によって前記第１の再生モードに決定された場合は、前記実音声データを対応する音声データとして特定し、前記決定手段によって前記第２の再生モードに決定された場合は、前記擬似音声データを対応する音声データとして特定することを特徴とする請求項４記載の動画再生装置。
【請求項６】
前記動画データは、撮影時に撮影フレームレートが切り替えられた動画データであり、所定の撮影フレームレートよりも高いフレームレートに切り替えて撮影された期間の動画データに、前記２種類以上の音声データが付加されており、
前記動画再生手段は、前記所定の撮影フレームレートと同じフレームレートで動画データを再生することを特徴とする請求項４または５に記載の動画再生装置。
【請求項７】
撮影により連続した複数の画像フレームからなる動画データを得る撮影ステップと、
前記撮影ステップによって得られた前記動画データに２種類以上の音声データを付加する音声データ付加ステップと、
この２種類以上の音声データが付加された前記動画データに、前記２種類以上の音声データの各々に対する前記動画データを再生する際の再生モードを示す再生情報を付加する再生情報付加ステップと、
含み、
前記再生モードは、前記画像フレームを間引いて再生する第１の再生モードと、前記画像フレームを間引かずに再生する第２の再生モードとを含むことを特徴とする動画処理方法。
【請求項８】
撮影により連続した複数の画像フレームからなる動画の動画データを得る撮影手段を備えた動画処理装置が備えるコンピュータを、
前記撮影手段によって得られた動画データに２種類以上の音声データを付加する音声データ付加手段と、
前記音声データ付加手段によって２種類以上の音声データが付加された前記動画データに、前記２種類以上の音声データの各々に対する前記動画データを再生する際の再生モードを示す再生情報を付加する再生情報付加手段
として機能させることを特徴とするプログラムであって、
前記再生モードは、前記画像フレームを間引いて再生する第１の再生モードと、前記画像フレームを間引かずに再生する第２の再生モードとを含むことを特徴とするプログラム。
【請求項９】
撮影により得られた連続した複数の画像フレームからなる動画データと、２種類以上の音声データと、前記２種類以上の音声データの各々に対する再生モードを示す再生情報とを含む動画ファイルを再生する動画再生装置の動画再生方法であって、
再生モードを決定する決定ステップと、
決定された再生モードに対応する音声データを、前記再生情報に基づいて特定する音声データ特定ステップと、
前記決定された再生モードに従って、前記動画データを前記音声データ特定ステップによって特定された音声データとともに再生する動画再生ステップと、
を含むことを特徴とする動画再生方法。
【請求項１０】
撮影により得られた連続した複数の画像フレームからなる動画データと、２種類以上の音声データと、前記２種類以上の音声データの各々に対する再生モードを示す再生情報とを含む動画ファイルを再生する動画再生装置が備えるコンピュータを、
再生モードを決定する決定手段、
前記決定手段によって決定された前記再生モードに対応する音声データを、前記再生情報に基づいて特定する音声データ特定手段、
前記決定手段によって決定された前記再生モードに従って、前記動画ファイルに含まれる前記動画データを、前記音声データ特定手段によって特定された音声データとともに再生する動画再生手段
として機能させることを特徴とするプログラム。
【手続補正２２】
【補正対象書類名】図面
【補正対象項目名】図１
【補正方法】変更
【補正の内容】
【図１】
2012060218.tif 000001